(57)【特許請求の範囲】
【請求項１】
クラブ番手が大きくなるほどシャフト長さが短くなると共にライ角が大きくなる少なくともクラブ番手が３番〜９番の７本のアイアンゴルフクラブからなるアイアンゴルフクラブセットにおいて、前記クラブ番手が３番〜９番の７本のアイアンゴルフクラブのロフト角が１５°〜４５°の範囲内であるとともに、前記各アイアンゴルフクラブのヘッド重量をＷ(gf)、ヘッド重心Ｇからシャフト軸線に垂直に測定した重心距離をＬ(mm)、前記ライ角をθ( °) とするときのシャフト軸線周りのクラブヘッドの回転モーメントＭx(gf・mm) ＝Ｗ×cos θ×Ｌ、前記３番〜９番全てのアイアンゴルフクラブセットのヘッドの回転モーメントの平均値をＭxmとすると、前記３番〜９番全てのアイアンゴルフクラブのヘッドの回転モーメントの値が０．９７Ｍxm以上１．０３Ｍxm以下となるアイアンゴルフクラブセット。
【請求項２】
前記クラブ番手が３番〜９番の７本のアイアンゴルフクラブに加えて、ピッチングウェッジおよびサンドウェッジを有する請求項１に記載のアイアンゴルフクラブセット。
【発明の詳細な説明】
【０００１】
【発明の属する技術分野】
本発明は、アイアンゴルフクラブセットに関し、更に詳しくは、ゴルファーが少なくともクラブ番手３番〜９番の７本のアイアンゴルフクラブについて同じ調子でスイングすれば、打撃時のヘッドの返りをそれぞれのクラブが略同じにしてボールをそれぞれ同方向に飛ばすことができるアイアンゴルフクラブセットに関する。
【０００２】
【従来の技術】
一般に、アイアンゴルフクラブは、主として正確な飛距離を得るためのクラブであるため、クラブ番手としては、ボールを上空に上げやすくかつランを少なくする３番〜９番やピッチングウェッジ（ＰＷ）、サンドウェッジ（ＳＷ）等とするものが多い。
【０００３】
アイアンゴルフクラブのうち、クラブ番手３番〜９番は、フルスイングで打球することが多いが、ＰＷやＳＷ等のウェッジでは、約１００ヤード以内の短い距離をより正確に打つのに使われるため、独特のソール形状を有し、スイング力を加減してコントロールショットすることが多い。そのため、ウェッジの場合は、飛距離がゴルファーの技量に左右されるが、フルスイングで打球する３番〜９番のアイアンゴルフクラブでは、打球方向とその飛距離がゴルフクラブ自身の性能に左右されやすい。
【０００４】
しかしながら、従来のアイアンゴルフクラブセットでは、ゴルファーが同じ一定の調子でスイングしても、ロングアイアン側ではインパクト時にヘッドの返りが遅れてフェースが開いた状態になり易いため、打球がスライスし易くなる傾向がある。逆にショートアイアン側では、インパクト時のヘッドの返りが早くなってフェースが閉じた状態になり易いため、打球がフックし易くなる傾向にあった。
【０００５】
上記対策として、従来、例えば、各アイアンゴルフクラブのシャフト軸周りのクラブヘッドの回転モーメントＭｙ（ヘッド重量×重心距離）をそれぞれ同じにすることにより、クラブヘッドの返り具合を一定にしようとした提案がある（例えば、特開昭５４−２２２４１号公報）。しかし、ゴルフクラブのヘッドは各番手毎にライ角が異なっているため、いくらヘッド重量×重心距離で定義される回転モーメントＭｙを各クラブについて同一にしても、同じ調子でスイングしたときのヘッドのフェースの返り具合は各クラブについて必ずしも一定にすることができず、本質的な解決策にはなっていなかった。
【０００６】
【発明が解決しようとする課題】
本発明の目的は、少なくともクラブ番手３番から９番の７本のアイアンゴルフクラブからなるゴルフクラブセットにおいて、同じ調子でスイングすれば、各クラブ毎のヘッドの返りを略一定にすることが可能なアイアンゴルフクラブセットを提供することにある。
【０００７】
【課題を解決するための手段】
上記目的を達成する本発明は、クラブ番手が大きくなるほどシャフト長さが短くなると共にライ角が大きくなる少なくともクラブ番手が３番〜９番の７本のアイアンゴルフクラブからなるアイアンゴルフクラブセットにおいて、前記クラブ番手が３番〜９番の７本のアイアンゴルフクラブのロフト角が１５°〜４５°の範囲内であるとともに、前記各アイアンゴルフクラブのヘッド重量をＷ(gf)、ヘッド重心Ｇからシャフト軸線に垂直に測定した重心距離をＬ(mm)、前記ライ角をθ( °) とするときのシャフト軸線周りのクラブヘッドの回転モーメントＭx(gf・mm) ＝Ｗ×cos θ×Ｌ、前記３番〜９番全てのアイアンゴルフクラブセットのヘッドの回転モーメントの平均値をＭxmとすると、前記３番〜９番全てのアイアンゴルフクラブのヘッドの回転モーメントの値が０．９７Ｍxm以上１．０３Ｍxm以下となることを特徴とする。
【０００８】
このようにクラブヘッドのシャフト軸線周りの回転モーメントを、ライ角との関係で上記式のように特定し、その値を３番〜９番までの全アイアンゴルフクラブでの平均値の０．９７倍から１．０３倍の範囲内にしたことにより、同じ調子でスイングする限りクラブヘッドのシャフト軸周りの回転モーメントを略一定にして、クラブヘッドの返りを３番〜９番までの全クラブにおいて略一定にすることができる。
【０００９】
【発明の実施の形態】
以下、本発明の構成について添付の図面を参照しながら詳細に説明する。
図１は本発明のアイアンゴルフクラブセットの一例を示し、このセットはクラブ番手が３番のアイアンゴルフクラブＡ３から９番のアイアンゴルフクラブＡ９までの連続した一連の７本のゴルフクラブから構成されている。各ゴルフクラブは、クラブシャフト１の上端にグリップ２を有し、下端にクラブヘッド３を備えた構成になっている。クラブヘッド３のヒール側で上方へ向けて突出するホーゼル４にクラブシャフト１が連結されている。
【００１０】
これらのアイアンゴルフクラブＡ３〜Ａ９は、クラブヘッド３の前面に形成された平面状のフェース６のロフト角が、クラブ番手が大きくなるにつれて略一定の割合で順次大きくなっている。また、グリップ２の上端からクラブヘッド３の下端までのシャフト長さが、クラブ番手の大きい方に向けて次第に短くなる一方、ソール７を水平面に正常に座らせた時のクラブシャフト１の該水平面に対する傾斜角度で定義されるライ角θ（°）が、クラブ番手が大きくなるにしたがい、略一定の割合で大きくなっている。
【００１１】
本発明では、図２に示すように、各アイアンゴルフクラブＡにおいて、クラブヘッド３のヘッド重量をＷ(gf)、ヘッド重心Ｇからクラブシャフト１のシャフト軸線Ｘへ垂直に測定した重心距離（ヘッド重心Ｇからクラブシャフト１のシャフト軸線Ｘまでの垂直距離）をＬ(mm)とすると、各クラブヘッド３のシャフト軸線周りの回転モーメントＭx(gf・mm) を、上記ライ角θとの関係を含めた下記の式で定義したとき、それぞれ回転モーメントＭx の値が、それらの平均値Ｍxmとすると、０．９７Ｍxm以上１．０３Ｍxm以下として、回転モーメントＭx の値が平均値Ｍxmの値と略同一になるようにしてある。
【００１２】
Ｍx ＝Ｗ×cos θ×Ｌ
各番手のアイアンゴルフクラブのアドレス状態におけるクラブヘッドのシャフト軸周りの回転モーメントＭx が、これら３〜９番のアイアンゴルフクラブの回転モーメントの平均値Ｍxmに対し、０．９７Ｍxm未満又は１．０３Ｍxmを超えてしまうと、ゴルファーがボール打撃時にヘッドを返す際、各番手で同じ調子でスウィングしても、ヘッドの返りに感覚的な違いが生じることでボール打撃の際に違和感を生じ、番手毎に同じ調子でスウィングすることができず、打球方向を常に一定にした安定したショットをすることが困難となる。
【００１３】
本発明者らは、従来におけるようにヘッド重心×重心距離（Ｗ×Ｌ）で定義された回転モーメントＭy を一定にしただけでは全てのアイアンゴルフクラブのそれぞれを同一調子でスイングしてもヘッドの返り具合を一定にできない点について鋭意検討した結果、実際にゴルファーが打つアドレス状態におけるシャフトの傾きが各番手毎に違うためであること、換言するとライ角θの影響が考慮されていなかったことが判った。
【００１４】
即ち、アドレス状態におけるクラブヘッドのシャフト軸周りの回転モーメントＭx は、正確には、図２に示すようにシャフト軸線に直交する方向のヘッド重量成分Ｗv と重心距離Ｌの積であり、このヘッド重量成分Ｗv は、ヘッド重量Ｗとライ角θの余弦との積Ｗ×cos θである。従って、従来のようにライ角θの傾きを考慮しないでＷ×Ｌだけの回転モーメントＭy を各クラブについてそれぞれ同一にしてみても、ヘッドの返りをそれぞれ同じにすることは難しかったのである。従って、ライ角θの傾きを考慮して定義した回転モーメントＭx をアイアンゴルフクラブセットの各クラブにおいて、それぞれ略同一にすることにより、同じ調子でスイングすれば、ヘッドの返り具合をそれぞれ略一定にすることができるのである。そのため、打球方向を常に一定方向にした安定したショットをすることができる。
【００１５】
また、本発明のアイアンゴルフクラブセットにおけるロフト角の範囲は、１５°〜４５°、好ましくは２０°〜４５°である。ロフト角１５°未満のアイアンゴルフクラブは、球を上げるのに十分なロフト角ではなく、飛距離を十分に得ることができず、強風などの特殊な状況に有効なものであまり一般的ではない。また、ロフト角４５°を超えるアイアンゴルフクラブは、いかにＰＷ、ＳＷのような独特のソール形状ではないにしてもスイング力を加減してコントロールショットすることが多くなる。
【００１６】
本発明のアイアンゴルフクラブセットは、上記実施形態では、クラブ番手が３番〜９番の７本からなるものをセットとしたが、更に、クラブ番手が１，２番のアイアンゴルフクラブやピッチングウェッジ、サンドウェッジ等を含めるようにしてもよく、このように８本以上のセットにした場合であっても少なくとも上述したクラブ番手が３番〜９番のアイアンゴルフクラブを上述した構成にするものであればよい。
【００１７】
本発明のアイアンゴルフクラブセットにおけるシャフト長さは、クラブ番手が大きくなるほど短くなるが、必ずしも隣り合う番手間が等しい長さで順次短くなるものに限定されず、隣り合う番手間が異なった長さで順次短くなるもの、隣り合う番手間によっては等しいシャフト長さとなる部分を含むようなものであっても、クラブ番手が大きくなるほどシャフト長さが傾向として短くなるようなものは本発明に包含される。
【００１８】
本発明のアイアンゴルフクラブセットにおけるライ角は、クラブ番手が大きくなるほど大きくなるが、必ずしも隣り合う番手間が等しい大きさで順次大きくなるものに限定されず、隣り合う番手間が異なった大きさで順次大きくなるもの、隣り合う番手間によっては等しいライ角となる部分を含むようなもの、もしくは隣り合う番手間によってはクラブ番手の大きい方がライ角が小さい部分、いわゆる逆転するような部分を含むようなものであっても、クラブ番手が大きくなるほどライ角が傾向として大きくなるようなものは本発明に包含される。
【００１９】
本発明のアイアンゴルフクラブセットにおけるクラブ番手は、必ずしも数字でなくてはならないわけではなく、記号、固有名詞等でクラブ番手を示したようなアイアンゴルフクラブセットにおいても、該アイアンゴルフクラブセットにおけるロフト角が１５°〜４５°の範囲を構成する全てのアイアンゴルフクラブが本発明の範囲に含まれていれば、本発明に包含される。
【００２０】
実施例
図１に示すクラブ番手３番から９番までの７本のアイアンゴルフクラブからなるクラブセットにおいて、ライ角θとの関係を含めたヘッドのシャフト軸周りの回転モーメントＭx を全クラブの平均値をＭxmとすると、前記３番〜９番全てのアイアンゴルフクラブのヘッドの回転モーメントの値が０．９７Ｍxm〜１．０３Ｍxmの範囲内とした参考セットと、更にロフト角を１５°〜４５°の範囲とした本発明セット１、更にライ角の設定を本発明セット１に対して変化させた本発明セット２と、回転モーメントを何ら考慮していない従来セット１、及びライ角θを考慮せずに単にヘッドのシャフト軸周りの回転モーメントＭy ＝Ｗ×Ｌを各クラブで略同一にした従来セット２、更にライ角を考慮せずに単にヘッドのシャフト軸周りの回転モーメントＭｙ＝Ｗ×Ｌを各クラブで略同一にし、ライ角の設定を従来セット１、２に対して変化させた従来セット３とを試験用セットとしてそれぞれ作製した。
【００２１】
各試験用セットにおいて、各クラブ番手のクラブ長とヘッド重量を表１〜３に示すように共通にし、本発明セット１と従来セット２および本発明セット２と従来セット３では、重心距離を変えることにより、それぞれヘッドのシャフト軸周りの回転モーメントＭX,Ｍy (gf ・mm) を調整し、それぞれ表１〜３のようにしている。
【００２２】
これら試験用セットについて、以下に示す測定条件により、実打試験を行ったところ、表４に示す結果を得た。
実打試験：
５人の中級アマチュアゴルファーａ，ｂ，ｃ，ｄ，ｅにより実打試験を行い、同じ調子でスイングした時に略一定の球筋が得られたか否かを○（良）、×（否）で評価した。
【００２３】
【表１】
0003992375.tif 000002
【００２４】
【表２】
0003992375.tif 000003
【００２５】
【表３】
0003992375.tif 000004
【００２６】
【表４】
0003992375.tif 000005
【００２７】
表４から明らかなように、本発明のアイアンゴルフクラブセットは、略一定の球筋を得ることができ、同じ調子でスイングすれば、ヘッドの返りを略一定にすることができるのが判る。
【００２８】
【発明の効果】
上述したように本発明は、少なくともクラブ番手が３番〜９番の７本のアイアンゴルフクラブからなるアイアンゴルフクラブセットにおいて、クラブヘッドのシャフト軸線周りの回転モーメントをライ角と関連づけて特定し、それを各アイアンゴルフクラブで互いに略同一にするので、ゴルファーが同じ調子で各アイアンゴルフクラブについてスイングすれば、各アイアンゴルフクラブのヘッドの返り具合を略一定にすることができる。
【図面の簡単な説明】
【図１】本発明のアイアンゴルフクラブセットの一例をクラブシャフトの一部を省略して示す正面図である。
【図２】本発明におけるクラブヘッドのシャフト軸線周りの回転モーメントを示す説明図である。
【符号の説明】
１  クラブシャフト    ２  グリップ    ３  クラブヘッド    ４  ホーゼル
６  フェース    ７  ソール    Ａ，Ａ３〜Ａ９  アイアンゴルフクラブ
Ｇ  ヘッド重心    Ｌ  重心距離    Ｘ  シャフト軸線    θ  ライ角
【図１】
0003992375.tif 000006
【図２】
0003992375.tif 000007